(57)【要約】【課題】通信光に影響を与えることなく、識別性を向上させる光検出コネクタを提供する。【解決手段】光検出コネクタ２０ａは、光伝送に用いられる光ファイバ１７ａを光ファイバ１６ａに着脱可能に接続するコネクタである。光検出コネクタ２０ａは、通信光を伝送可能な通信光伝送用コア２１ａと、通信光伝送用コア２１ａの周囲に設けられ、通信光伝送用コア２１ａよりも低屈折率であるクラッド２４ａと、通信光伝送用コア２１ａよりもクラッド２４ａの径方向外側に配置され、補助光を伝送可能な補助光伝送用コア２２ａ，２３ａと、可視光Ｌを光ファイバ１７ａの外に放射可能な切欠部２７ａと、通信光伝送用コア２１ａ、補助光伝送用コア２２ａ，２３ａ及びクラッド２４ａを含んで構成される光ファイバ１７ａの端部を保持するフェルール２６ａとを備えている。【選択図】図３
2014021322.tif 000002
【特許請求の範囲】
【請求項１】
光伝送に用いられる光ファイバを他の光学素子に着脱可能に接続する光検出コネクタであって、
通信光を伝送可能な通信光伝送用コアと、
前記通信光伝送用コアの周囲に設けられ、前記通信光伝送用コアよりも低屈折率であるクラッドと、
前記通信光伝送用コアよりも前記クラッドの径方向外側に配置され、補助光を伝送可能な補助光伝送用コアと、
前記補助光を前記光ファイバの外に放射可能な放射部と、
前記通信光伝送用コア、前記補助光伝送用コア及び前記クラッドを含んで構成される前記光ファイバの端部を保持するフェルールと、
を備えたことを特徴とする光検出コネクタ。
【請求項２】
前記補助光伝送用コアが、前記クラッド内において、その周方向に分散して複数配置されていることを特徴とする請求項１に記載の光検出コネクタ。
【請求項３】
前記補助光伝送用コアの断面形状が略リング状であることを特徴とする請求項１に記載の光検出コネクタ。
【請求項４】
前記放射部は、前記補助光伝送用コアの一部を切り欠いた切欠部を含むことを特徴とする請求項１〜３の何れか一項に記載の光検出コネクタ。
【請求項５】
前記放射部は、前記フェルールの保持領域である前記光ファイバの端部に形成されていることを特徴とする請求項１〜４の何れか一項に記載の光検出コネクタ。
【請求項６】
前記通信光伝送用コアが前記クラッドの中心に配置されていることを特徴とする請求項１〜５の何れか一項に記載の光検出コネクタ。
【請求項７】
前記補助光伝送用コアへ前記補助光を入射させるために中心をオフセットさせた構造部品を更に備えることを特徴とする請求項１〜６の何れか一項に記載の光検出コネクタ。
【請求項８】
通信光を伝送可能な通信光伝送用コアと、前記通信光伝送用コアの周囲に設けられたクラッドと、前記通信光伝送用コアよりも前記クラッドの径方向外側に配置され補助光を伝送可能な補助光伝送用コアと、前記補助光を外部に放射可能な放射部とを備えたことを特徴とする光ファイバ。
【発明の詳細な説明】
【技術分野】
【０００１】
本発明は、光検出コネクタ及び光ファイバに関する。
【背景技術】
【０００２】
多数の光ファイバからなる光ケーブルを局と加入者端末との間に敷設し、局と加入者端末との間で互いに光信号を伝送して光通信を行う光伝送システムが知られている。この光伝送システムには、多数の光ファイバが用いられており、その内の一部の光ファイバの接続を変更したりする場合には、変更する光ファイバを多数の光ファイバから特定する必要がある。そこで、特許文献１に記載のように、通信光を伝送するためのコアにスリットを設け、このスリットから漏洩する可視光を視認できるようにして、変更する光ファイバを特定できる光検出コネクタが知られている。
【先行技術文献】
【特許文献】
【０００３】
【特許文献１】特開２００９−２２２９８３号公報
【発明の概要】
【発明が解決しようとする課題】
【０００４】
ところが、特許文献１に記載の光検出コネクタでは、通信光への影響を低減するためスリットを細く形成する必要があり、コネクタを識別するための光を大きく外に漏らすことが難しかったり、スリットの作製作業が困難であったりといった問題があった。また、通信光への影響を低減するためにスリットを細くしたとしても、通信光の一部を光ファイバの外に漏らす構造であるため、通信光のロスがどうしても発生してしまうという問題もあった。
【０００５】
本発明は、上述の課題を解決するためになされたものであり、通信光に影響を与えることなく、識別性を向上させることができる光検出コネクタ及び光ファイバを提供することを目的とする。
【課題を解決するための手段】
【０００６】
本発明に係る光検出コネクタは、光伝送に用いられる光ファイバを他の光学素子に着脱可能に接続する光検出コネクタである。この光検出コネクタは、通信光を伝送可能な通信光伝送用コアと、通信光伝送用コアの周囲に設けられ、通信光伝送用コアよりも低屈折率であるクラッドと、通信光伝送用コアよりもクラッドの径方向外側に配置され、補助光を伝送可能な補助光伝送用コアと、補助光を光ファイバの外に放射可能な放射部と、通信光伝送用コア、補助光伝送用コア及びクラッドを含んで構成される光ファイバの端部を保持するフェルールと、を備えたことを特徴としている。
【０００７】
この光検出コネクタは、通信光伝送用コアよりも外側に配置された補助光伝送用コアと、その補助光を光ファイバの外に放射可能な放射部とを備えている。この場合、通信光伝送用コアとは別の補助光伝送用コアを備える構成となっており、補助光伝送用コアに可視光等の補助光を入射させることにより、通信光に影響を与えることなく、光検出コネクタの識別性を向上させることができる。
【０００８】
本発明に係る光検出コネクタにおいて、補助光伝送用コアが、クラッド内において、その周方向に分散して複数配置されているようにしてもよい。この場合、複数配置された何れかの補助光伝送用コアに切欠き等の加工をして放射部を形成することができるため、補助光伝送用のコアの位置をそれほど厳密に特定しなくても、切欠き等の加工深さを特定して放射部を容易に加工することができる。
【０００９】
本発明に係る光検出コネクタにおいて、補助光伝送用コアの断面形状が略リング状であってもよい。この場合、補助光伝送用コアへの補助光の入射を容易に行うことができる。
【００１０】
本発明に係る光検出コネクタにおいて、放射部は、補助光伝送用コアの一部を切り欠いた切欠部を含むようにしてもよい。この場合、放射光を外部に放射する放射部を容易に形成することができる。また、この構成によれば、切欠部の切欠き幅に応じて、外部に放射する放射光の強弱を容易に調整することができる。
【００１１】
本発明に係る光検出コネクタにおいて、放射部は、フェルールの保持領域である光ファイバの端部に形成されていてもよい。この場合、光ファイバの接続を変更する際に作業者が視認しやすい位置に放射部が位置することになり、作業性を向上させることができる。
【００１２】
本発明に係る光検出コネクタにおいて、通信光伝送用コアがクラッドの中心に配置されていてもよい。この場合、より安定した光通信が可能となる。
【００１３】
本発明に係る光検出コネクタにおいて、補助光伝送用コアへ補助光を入射させるために中心をオフセットさせた構造部品を更に備えていてもよい。この場合、補助光伝送用コアへ補助光を入射させる作業が容易となる。
【００１４】
また、本発明に係る光ファイバは、通信光を伝送可能な通信光伝送用コアと、通信光伝送用コアの周囲に設けられたクラッドと、通信光伝送用コアよりもクラッドの径方向外側に配置され補助光を伝送可能な補助光伝送用コアと、補助光を外部に放射可能な放射部とを備えたことを特徴としている。この場合でも、通信光伝送用コアと別の補助光伝送用コアを備える構成となっており、補助光伝送用コアに可視光等の補助光を入射させることにより、通信光に影響を与えることなく、光ファイバの識別性を向上させることができる。
【発明の効果】
【００１５】
本発明によれば、通信光に影響を与えることなく、識別性を向上させた光検出コネクタ及び光ファイバを提供することができる。
【図面の簡単な説明】
【００１６】
【図１】本実施形態に係る光検出コネクタが用いられる光伝送システムの一例を示す概略説明図である。
【図２】本実施形態に係る光検出コネクタを示す図である。
【図３】図２に示す光検出コネクタの拡大断面図である。
【図４】（ａ）は、図２に示す光検出コネクタに含まれる光ファイバの断面図であり、（ｂ）は、光ファイバの変形例の断面図である。
【図５】図２に示す光検出コネクタの製造方法を説明する図である。
【図６】（ａ）は、図２に示す光検出コネクタの通信光伝送用コアに通信光を入射する場合の態様を示す図であり、（ｂ）は、補助光伝送用コアに可視光を入射する場合の態様を示す図である。
【図７】本実施形態に係る光伝送システムの他の例を示す図である。
【図８】図７に示す光伝送システムでのマルチコアファイバとシングルコアファイバとの接続状態を示す斜視図である。
【図９】切欠部の変形例を示す図である。
【図１０】切欠部の更に別の変形例を示す図であり、（ａ）はファイバの端面図、（ｂ）はファイバの上面図である。
【発明を実施するための形態】
【００１７】
以下、添付図面を参照して、本発明の好適な実施形態について詳細に説明する。なお、説明において、同一要素又は同一機能を有する要素には、同一符号を用いることとし、重複する説明は省略する。
【００１８】
まず、図１を参照しながら、本実施形態に係る光検出コネクタ２０が用いられる光伝送システム１の概略について説明する。
【００１９】
光伝送システム１は、局側の光伝送装置１１と複数の加入者端末１５との間で所定の光信号を送受信することにより、光伝送を行うシステムである。光伝送システム１は、光伝送装置１１、スターカプラー架１２、光ケーブル成端架１３、光ケーブル１４、加入者端末１５（１５ａ〜１５ｄ）、光ファイバ１６、ジャンパーケーブル１７、及び、光配線盤１８，１９を備えて構成される。
【００２０】
光ケーブル１４は、４本の光ファイバ１４ａ〜１４ｄを束ねて構成される。光ファイバ１６は、４本の分岐光ファイバ１６ａ〜１６ｄを含んで構成される。ジャンパーケーブル１７は、ジャンパー線となる光ファイバ１７ａ〜１７ｄを束ねて構成される。本実施形態では、説明を容易にするため、光ファイバ１６等の心線数が４本の場合を例として説明するが、実際は数十〜数百本の心線数で構成される。
【００２１】
光伝送装置（ＯＬＴ：Optical Line Terminal）１１は、加入者端末（ＯＮＵ：Optical Network Unit）１５ａ〜１５ｄのそれぞれに伝送すべき通信光を、光ファイバ１６を介してスターカプラー架１２に送出する。スターカプラー架１２では、光伝送装置１１からの通信光を多数の加入者端末１５ａ〜１５ｄに分配するため、光ファイバ１６をスターカプラー１２ａにより分岐光ファイバ１６ａ〜１６ｄに多分岐し、それぞれに光信号を分配して送出させる。分岐光ファイバ１６ａ〜１６ｄでの出力端は、光配線盤１８に高密度で配設された光接続部１８ａ〜１８ｄに接続される。
【００２２】
スターカプラー架１２からの信号光は、ジャンパーケーブル１７を構成する各光ファイバ１７ａ〜１７ｄを経て光ケーブル成端架１３内の光ファイバ１４ａ〜１４ｄそれぞれに送出される。光ケーブル成端架１３は、光配線盤１９を備える。光配線盤１９には、光ファイバ１７ａ〜１７ｄを介して、光伝送装置１１からの通信光を受信するための多数の光接続部１９ａ〜１９ｄが高密度に配設されている。光ファイバ１４ａ〜１４ｄそれぞれに送出された信号光は、各光ファイバ１４ａ〜１４ｄそれぞれに接続される加入者端末１５ａ〜１５ｄに送出される。これにより、光伝送が行われる。
【００２３】
続いて、図２〜図４を参照しながら、ジャンパーケーブル１７を構成する光ファイバ１７ａ〜１７ｄを含んで構成される光検出コネクタ２０について詳細に説明する。以下では、光ファイバ１７ａを含んだ光検出コネクタ２０ａについて主に説明するが、他の光ファイバ１７ｂ〜１７ｄを含んだ光検出コネクタ２０も同様である。
【００２４】
光検出コネクタ２０ａは、光伝送に用いられる光ファイバ１７ａを接続部１８ａを介して分岐光ファイバ１６ａ（光学素子）に着脱可能に接続するコネクタであり、その基本的な構成は一般的な光コネクタと同様である。光検出コネクタ２０は、図２に示されるように、ジャンパーケーブル１７に含まれる何れかの光ファイバ（例えば光ファイバ１７ａ）の接続を変更したい場合に、変更したい一の光ファイバ１７ａの一端（光接続部１９ｃに接続される端部）に可視光を入射して他端（光接続部１８ａに接続される端部）側を光らせることによって、特定の光ファイバ１７ａを識別できる機能を有している。
【００２５】
このような機能を有する光検出コネクタ２０は、その構成として、図３及び図４の（ａ）に示されるように、通信光伝送用コア２１ａ、補助光伝送用コア２２ａ、コア２３（補助光伝送用コア）ａ、クラッド２４ａ、被覆部２５ａ、フェルール２６ａ、切欠部２７ａ（放射部）、及び、開口部２８ａを備えている。
【００２６】
通信光伝送用コア２１ａは、光伝送装置１１から加入者端末１５へ伝送すべき通信光（光信号）を伝送するためのコアであり、コア２１ａ〜２３ａよりも低屈折率であるクラッド２４ａの中心軸に沿って配置される。言い換えると、クラッド２４ａは、コア２１ａの周囲に設けられている。また、補助光伝送用コア２２ａは、後述する心線対照を行う際に、一端に可視光を入射させて伝送させるためのコアである。本実施形態では、クラッド２４ａの中心に１つのコア２１ａが配置され、クラッド２４ａ内において、その周方向の同心円状に６つのコア２２ａ，２３ａが配置される。つまり、光ファイバ１７ａは、マルチコアファイバとなっている。なお、コア２３ａは、後述するように補助光伝送用コア２２ａの製造候補であったコアであり、製品になった際には使用しなくてもよいが、このコア２３ａに所定の光信号等を伝送させて使用するようにしてもよい。
【００２７】
補助光伝送用コア２２ａは、通信光伝送用コア２１ａよりもクラッド２４ａの径方向外側に配置されており、その一部が切り欠かれている。この切り欠かれた部分は切欠部２７ａを構成しており、補助光伝送用コア２２ａの一端に可視光を入射させると、この切欠部２７ａから、その入射された可視光Ｌが漏れて、外部に放射されるようになっている。このような光放射により、ファイバの中央部分がケーブル状に束ねられてファイバの両端の対応が分かりにくいファイバの接続変更の際に、特定の光ファイバを簡易な手段によって識別することが可能となる。
【００２８】
通信光伝送用コア２１ａ，補助光伝送用コア２２ａ、コア２３ａ及びクラッド２４ａを含んで構成される光ファイバ１７ａは、その端部（他端）がフェルール２６ａによって保持されている。光ファイバ１７ａは、フェルール２６ａによって保持される領域（保持領域）において、ファイバの被覆部２５ａが除去されている。フェルール２６ａには、補助光伝送用コア２２ａの切欠部２７ａが外部に露出するように、切欠部２７ａと同じ箇所に、切欠部２７ａよりも幅を有する開口部２８ａが形成されている。
【００２９】
なお、図４の（ｂ）に示されるように、光ファイバ１７ａに代えて、光ファイバ１１７を光検出コネクタ２０に用いてもよい。光ファイバ１１７では、中心に配置される通信光伝送用コア１２１の周囲にクラッド１２４が設けられ、通信光伝送用コア１２１よりもクラッド１２４の径方向外側に断面略リング状の補助光伝送用コア１２２が配置されている。光ファイバ１１７も同様の切欠部１２７を備えており、補助光伝送用コア１２２の一端に入射された可視光Ｌが切欠部１２７から外部に露出する構成になっている。この場合、補助光伝送用コア１２２への可視光Ｌの入射を容易に行うことができる。
【００３０】
続いて、光検出コネクタ２０ａ（２０）の製造方法について、図５を参照しながら、説明する。
【００３１】
光検出コネクタ２０ａを製造するには、まず、マルチコアファイバである光ファイバ１７ａを準備し、その端部（図示左端）の被覆部２５ａを除去する（図５の（ａ）参照）。そして、被覆部２５ａを除去した光ファイバ１７ａの所定の箇所に、レーザ装置３２を用いてレンズ３４を介してレーザを照射し、外側のコア２２ａの一部を切断するように光ファイバ１７ａを加工する（図５の（ｂ）参照）。これにより、光ファイバ１７ａに切欠部２７ａが形成される。レーザを照射する際には、中心にある通信光伝送用コア２１ａを傷つけないように加工を行う。なお、光ファイバ１７ａには、コア２２ａと同心状に配置されたコア２３ａが多数あるため、そのいずれのコアを補助光伝送用コアとしてもよい。つまり、コア２３ａは、コア２２ａと同様に、補助光を伝送可能なコアである。このように補助光伝送用のコアが複数ある場合、レーザ加工の深さを主に規制すればよいため、加工作業が容易になる。
【００３２】
続いて、切欠部２７ａを形成した光ファイバ１７ａを、切欠部２７ａに対応する箇所に開口部２８ａが設けられたフェルール２６ａを挿入して両者を固定し、これにより、光検出コネクタ２０ａを完成させる（図５の（ｃ）参照）。なお、予め開口部２８ａを設けておいたフェルール２６ａに光ファイバ１７ａを挿入した後に、レーザ等を用いて、開口部２８ａに対応する箇所に切欠部２７ａを加工するようにしてもよい。この場合、光ファイバ１７ａの切欠部２７ａとフェルール２６ａの開口部２８ａとの位置合わせを行う必要がなくなるため、加工が一層、容易になる。
【００３３】
続いて、上述した構成を備えた光検出コネクタ２０を用いて心線対照を行う方法について、図２及び図６を参照しながら、説明する。
【００３４】
光検出コネクタ２０を用いて心線対照を行う場合、図２に示されるように、可視光光源３０を用意し、可視光光源３０からの可視光を例えば光ファイバ１７ａの補助光伝送用コア２２ａの一端（光接続部１９ｃ側）に入射する。このように可視光を光ファイバ１７ａの一端に入射すると、補助光伝送用コア２２ａを可視光Ｌが伝送し、切欠部２７ａから可視光Ｌが放射される（図３参照）。図２では、切欠部２７ａから可視光Ｌが照射されたものを黒丸で示している。これにより、ジャンパーケーブル１７として、多数の光ファイバが束ねられて両端の対応が分かりづらい場合であっても、接続を変更等したい光ファイバの他端（光接続部１８ａ〜１８ｄ側）を容易に識別することが可能である。
【００３５】
補助光伝送用コア２２ａに入射する可視光Ｌの光源３０としては、波長が４００ｎｍ〜７５０ｎｍの可視光を送出できる光源を用いることができる。赤色の光は、光検出コネクタ２０ａに対して色が比較的識別しやすく、また光強度も強いため、可視光として用いることが好ましい。この場合、波長が６００ｎｍ以上の赤色レーザ光を用いることが好ましい。なお、レーザ光源以外の光源を用いてももちろんよい。
【００３６】
また、図２では、心線照射用に補助光伝送用コア２２ａへ可視光Ｌを入射させるために、可視光光源３０からの可視光Ｌを入射部材３１によって手動で位置合わせして心線照射を行っているが、図６に示すような位置合わせ用の構造部材を用いてもよい。すなわち、図６の（ｂ）に示されるように、フェルール３９ｃ及びフェルール３９ｃによって保持される光ファイバ１７ａの中心軸に対してオフセットした保持構造を有するアダプタ３７（構造部品）を光検出コネクタが着脱可能な状態で更に備えるようにしてもよい。この場合、このオフセット保持を行うアダプタ３７に入射部材３１の先端を挿入し、入射部材３１のコア３１ａと光ファイバ１７ａの補助光伝送用コア２２ａとが対向するように位置合わせを行い、可視光Ｌをコア２２ａに入射させる。
【００３７】
通常の光伝送を行っている場合は、図６の（ａ）に示されるように、光ファイバ１７ａの通信光伝送用コア２１ａと光ファイバ１４ｃのコア３６ｃとが対向するようにアダプタ３６で両者を保持しているが、心線対照を行う場合には、アダプタ３６及び光ファイバ１４ｃを取り外し、上述したように、図６の（ｂ）に示すようなアダプタ３７を用いて心線対照を行う。
【００３８】
以上、説明したとおり、本実施形態に係る光検出コネクタ２０は、通信光伝送用コア２１ａよりも外側に配置された補助光伝送用コア２２ａと、補助光である可視光Ｌを光ファイバ１４ａの外に放射可能な切欠部２７ａとを備えている。このように通信光伝送用コア２１ａとは別の補助光伝送用コア２２ａを備える構成によって、補助光伝送用コア２２ａに可視光Ｌ等の補助光を入射させることができ、通信光に影響を与えることなく、すなわち、通信光伝送用コア２１ａを傷つけることなく、光検出コネクタ２０の識別性を向上させることができる。
【００３９】
また、光検出コネクタ２０では、補助光伝送用コア２２ａと当該コア２２ａになり得るコア２３ａが、クラッド２４ａ内において、その周方向に分散して複数配置されている。この場合、複数配置された何れかの補助光伝送用コアに切欠き等の加工をして放射部を形成することができるため、切欠き加工する補助光伝送用のコアの位置をそれほど厳密に特定しなくても、切欠き等の加工深さを特定して放射部を容易に加工することができる。
【００４０】
また、光検出コネクタ２０では、補助光伝送用コア２２ａの一部を切り欠いた切欠部２７ａを含んでいる。切欠部２７ａを用いることにより、放射光を外部に放射する放射部を容易に形成することができる。また、この構成によれば、切欠部２７ａの切欠き幅に応じて、外部に放射する可視光Ｌの強弱を容易に調整することができる。
【００４１】
また、光検出コネクタ２０では、切欠部２７ａは、フェルール２６ａの保持領域である光ファイバ１７ａの端部に形成されている。このような構成であれば、光ファイバ１７ａの接続を変更する際に作業者が視認しやすい位置に切欠部２７ａが位置することになり、作業性を向上させることができる。なお、切欠部２７ａ等を保持領域以外に設けてもよい。
【００４２】
また、光検出コネクタ２０では、通信光伝送用コア２１ａがクラッド２４ａの中心に配置されており、より安定した光通信が可能となっているが、他のコア２３ａを通信光伝送用に用いてももちろんよい。
【００４３】
本発明は、上記実施形態に限定されるものではなく、種々の変形を適用できる。例えば、上記実施形態では、心線対照を行うために可視光Ｌを補助光伝送用コア２２ａに入射するために手動又は部材の交換で行っていたが、図７に示されるように、マルチコアファイバである光ファイバ１７ａ〜１７ｄが接続される光接続部１９ａ〜１９ｄで複数の光ファイバに分岐されるような構成としてもよい。この場合、複数のシングルモードファイバが束ねられて構成される各光ファイバ４４ａ〜４４ｄは、図８に示されるように、光接続部１９ａ〜１９ｄにおいて、光ファイバ１７ａ〜１７ｄに各コアが対向するように光接続される。具体的には、例えば、光ファイバ４４ｃのうちの１つを通信光伝送用コア２１ａに対向させ、他の１つを補助光伝送用コア２２ａに対向させて、光接続させる。
【００４４】
そして、心線照射を行いたい場合には、補助光伝送用コア２２ａに可視光光源３０から光ファイバ４４ｃを介して可視光Ｌが光スイッチ３８によるスイッチ制御により入射される。この光伝送システム１ａでは、光ファイバ１７ａ〜１７ｄそれぞれが複数の光ファイバ４４ａ〜４４ｄに接続されるようになっているので、光ファイバ１７ａ〜１７ｄを取り外す前に心線照射を行うことができる。なお、心線照射を行うための光ファイバ４４ａ〜４４ｄ以外の光ファイバは、適宜、光伝送等に用いてもよい。また、図７に示す光伝送システム１ａでは、加入者端末１５等は省略しているが、上記で説明した以外の構成は、基本的に光伝送システム１と同様である。
【００４５】
また、上述した実施形態では、断面が略円弧状となる切欠部２７ａを形成するようにしたが、図９の（ａ）に示されるように、断面が略矩形形状の切欠部２７ａとしてもよいし、図９の（ｂ）に示されるように、断面が略三角形状の切欠部２７ａとしてもよい。更に、図１０に示されるように、丸孔形状の切欠部２７ａとしてもよい。
【００４６】
また、上述した実施形態では、補助光伝送用コア２２ａを伝送する可視光を外部に放射する放射部として切欠部２７ａを用いたいが、可視光Ｌが外部に漏れて光検出コネクタの識別が可能であればよく、切欠部２７ａに限定されるものではない。例えば、切欠部２７ａに高屈折率部材を充填して可視光Ｌの放射部としてもよいし、光ファイバ１７ａ〜１７ｄに圧力を加えて一部の屈折率を上げるようにして放射部としてもよい。
【００４７】
また、上述した実施形態では、スターカプラー架１２と光ケーブル成端架１３との間での心線対照を例にとって光検出コネクタについて説明したが、本発明に係る光検出コネクタはこれに限定されるわけではなく、光ケーブル成端架１３と加入者端末１５との間での心線対照に光検出コネクタを用いてもよく、その他、適用可能な心線対照に用いてももちろんよい。
【符号の説明】
【００４８】
１７ａ〜１７ｄ，１１７…光ファイバ、２０，２０ａ…光検出コネクタ、２１ａ，１２１…通信光伝送用コア、２２ａ，１２２…補助光伝送用コア、２３ａ…コア（補助光伝送用コア）、２４ａ，１２４，１２５…クラッド、２６ａ…フェルール、２７ａ，１２７…切欠部（放射部）、３８…アダプタ、Ｌ…可視光。
【図１】
2014021322.tif 000003
【図２】
2014021322.tif 000004
【図３】
2014021322.tif 000005
【図４】
2014021322.tif 000006
【図５】
2014021322.tif 000007
【図６】
2014021322.tif 000008
【図７】
2014021322.tif 000009
【図９】
2014021322.tif 000010
【図１０】
2014021322.tif 000011
【図８】
2014021322.tif 000012